(57)【要約】      （修正有）【課題】蛍光により魚を誘引する機能を備え、ハリスの連結をより強固にした釣り針と、対を成す２つの釣り針を備え、かかった魚が逃げ出しにくくした、釣り針セットを提供する。【解決手段】釣り針５０は、魚を誘引する機能のほか、作業者が暗いときでも釣り針の位置をはっきりと確認することができ、安全性を高めるため、チモトに蛍光玉を結合させ、ハリス８０をより強固にして抜け落ちにくくする。また、上記の釣り針５０を含む釣り針セットは、固定リング１００とスライドリング９０を利用し、スライドリングを上下に移動させ、対を成す２つの釣り針を開くことで、かかった魚が逃げにくくして採捕率を高めることができる。【選択図】図３
0003152801.tif 000002
【実用新案登録請求の範囲】
【請求項１】
釣り針であって、チモト、軸、針先、返しが順に設けられた釣り針本体と、前記チモトに結合された蛍光玉を含むことを特徴とする、釣り針。
【請求項２】
請求項１に記載の釣り針であって、前記蛍光玉が夜間に魚群を誘引できることを特徴とする、釣り針。
【請求項３】
請求項１に記載の釣り針であって、前記蛍光玉がいろいろな色とできることを特徴とする、釣り針。
【請求項４】
請求項１に記載の釣り針であって、前記蛍光玉が、前記チモトに結んだハリスをより強固にできることを特徴とする、釣り針。
【請求項５】
釣り針セットであって、
ハリスと、
蛍光玉、チモト、軸、針先、返しが順に設けられ、ハリスで連結された対を成す２つの釣り針と、
前記ハリスを結ぶ位置を留めた上で髪留め状に前記ハリスを固定する固定リングと、
前記釣り針と前記固定リング間のハリス上をスライド移動するスライドリングと、
を含むことを特徴とする、釣り針セット。
【請求項６】
請求項５に記載の釣り針セットであって、そのうち、前記ハリスを結ぶ位置は前記ハリスを結ぶために用いられることを特徴とする、釣り針セット。
【請求項７】
請求項５に記載の釣り針セットであって、前記対を成す２つの釣り針に同一の餌をつけることができることを特徴とする、釣り針セット。
【請求項８】
請求項５に記載の釣り針セットであって、前記対を成す２つの釣り針に同一の餌をつけ、魚から針が抜ける確率を低下させるよう構成したことを特徴とする、釣り針セット。
【請求項９】
請求項８に記載の釣り針セットであって、そのうち、前記餌が昆虫または生肉、海草とできることを特徴とする、釣り針セット。
【考案の詳細な説明】
【技術分野】
【０００１】
本考案は、ハリスをより強固にし、蛍光により魚を誘引する機能を提供すると共に、かかった魚が逃げ出しにくくした、釣り針に関する。
【背景技術】
【０００２】
従来の釣り針は魚の誘引及び集魚効果がなく、そのチモトは扁平な薄い円形の片状でハリスと隔てられているが、魚の強い引っ張りを受けてハリスが切れてしまったり、針が抜けてしまったりすることがよくあり、採捕率が低くなる。また、夜間の作業では、釣り針が見にくく、作業者に針が刺さってしまうことも多く、安全上の問題が懸念される。
【０００３】
従来釣り針を結ぶのは手間と時間がかかるため、改良が望まれる。また、かかった魚がもがき、針が抜けて逃げられてしまうことがある。また従来の釣り針には顕著な魚の誘引効果がなく、改良が必要である。また、従来の釣り針は皆単一の針を使用している。
【考案の概要】
【考案が解決しようとする課題】
【０００４】
本考案の目的は、蛍光により魚を誘引する機能を備え、ハリスの連結をより強固にした釣り針と、対を成す２つの釣り針を備え、かかった魚が逃げ出しにくくした、釣り針セットを提供することにある。
【課題を解決するための手段】
【０００５】
本考案の釣り針は、（１）Ｊ字形の釣り針本体、（２）先曲がり部、（３）チモト、（４）蛍光玉を含み、前記釣り針本体の基端部が前記チモトであり、先端部が前記先曲がり部である。前記蛍光玉は前記チモトと結合しており、いろいろな色とすることができ、前記蛍光玉の役割は、夜間に魚を誘引すると共に、前記チモトのハリスをより強固にし、脱落しにくくすることである。
【０００６】
本考案の釣り針セットは、（ａ）ハリス、（ｂ）前記ハリスで連結された１対の釣り針、（ｃ）前記ハリスを結ぶ位置を留めた上で髪留め状に前記ハリスを固定する固定リング、（ｄ）前記釣り針と前記固定リング間のハリス上をスライド移動するスライドリングを含む。前記釣り針セットの前記ハリスを結ぶ位置はハリスを結ぶために用いられる。前記対を成す２つの釣り針には同じ餌をつけることが可能で、採捕率を高めることができる。
【考案の効果】
【０００７】
従来の釣り針の欠点を以下に簡単に述べる：
１．従来の釣り針は皆単一の針を用いて、餌を付けている。
２．従来の釣り針を結ぶのには手間と時間がかかる。
３．単一の針に魚がかかった後、魚がもがいて逃げられてしまうことが多い。
４．従来の釣り針は顕著な魚の誘引効果がないため、改善が望まれる。
５．従来の釣り針は夜間の作業では見にくく、作業者に針が刺さってしまいやすい。
【０００８】
本考案の特徴を以下に述べる：
１．ハリスをより強固に結ぶことができる。
２．魚の誘引効果を備え、チモトを包む蛍光玉には、様々な色と材質に対応できる。
３．夜暗いときでも、作業者が釣り針の位置をはっきりと確認でき、安全性を高めることができる。
４．対を成す２つの釣り針を備えた構造を採用している。
５．蛍光玉に凹溝があるため、ハリスをより強固にすることができる。
【図面の簡単な説明】
【０００９】
【図１】従来の釣り針の外観図である。
【図２】本考案の釣り針の外観図である。
【図３】本考案の釣り針セットの外観図である。
【図４】本考案の釣り針セットの使用状態を示す外観図である。
【図５】本考案の釣り針に魚がかかった状態を示すイメージ図である。
【考案を実施するための形態】
【実施例１】
【００１０】
釣り針の改良方法
市場での一般的な従来の釣り針１０は、図１に示すように、基端部がチモト２０であり、曲がった軸３０を介して先端の針先４０と繋がり、かつ返し４５が付いている。本考案の釣り針５０は、図２に示すように、蛍光玉６０をチモトに結合させるだけで完成し、蛍光玉の上に形成された凹溝６５はハリスをしっかりと保護するために用いられる。
【実施例２】
【００１１】
釣り針セットの組み立て方法
本考案の釣り針セット７０は、図３に示すように、ハリス８０の両端が対を成す２つの釣り針の蛍光玉の下部にそれぞれ結び付けられ、ハリスを２つ折りにした後、上下にスライドするスライド蛍光リング９０に穿通し、さらにハリスを結ぶためのハリスを結ぶ位置１１０を予め留めておいた上で固定リング１００で固定する。  
【実施例３】
【００１２】
釣り針セットの操作方法
図４に操作の範例を示す。本考案の釣り針セットを結び、対を成す２つの釣り針上に同一の餌７５を付けると、使用することができる。蛍光によって魚が誘引され、図５に示すように、魚が２つの針にかかった後、魚を逃げにくくすることができる。
【符号の説明】
【００１３】
１０    従来の釣り針
２０    チモト
３０    軸
４０    針先
４５    返し
５０    釣り針
６０    蛍光玉
６５    凹溝
７０    釣り針セット
７５   餌
８０   ハリス
９０   スライド蛍光リング
１００   固定リング
１１０   ハリスを結ぶ位置
【図１】
0003152801.tif 000003
【図２】
0003152801.tif 000004
【図３】
0003152801.tif 000005
【図４】
0003152801.tif 000006
【図５】
0003152801.tif 000007